(57)【要約】【課題】車両の乗員の快適性、利便性、安全性を改善するための付加機能を備えた室内灯システムを提供する。【解決手段】車両の車室内に配設され、当該車室内に光を照射する発光ユニット２および車室内に音波を発音する発音ユニット３が配設された室内灯１と、車両の状態を検出する状態検出手段４と、状態検出手段４で検出した車両の状態に基づいて少なくとも発音ユニット３での発音を制御する制御手段５を備える。発音ユニット３で発音する際の音波により乗員の快適性、利便性、安全性を改善する。制御手段５は発音ユニット３での発音を制御すると同時に発光ユニット２での照射を制御する。【選択図】  図１
2015067062.tif 000002
【特許請求の範囲】
【請求項１】
車両の車室内に配設され、当該車室内に光を照射する発光手段および前記車室内に音波を発音する発音手段が配設された室内灯と、前記車両の状態を検出する状態検出手段と、この状態検出手段で検出した車両の状態に基づいて少なくとも前記発音手段での発音を制御する制御手段を備えることを特徴とする車両の室内灯システム。
【請求項２】
前記制御手段は前記発音手段での発音を制御するときに、これと同時に前記発光手段における照射を制御する構成であることを特徴とする請求項１に記載の車両の室内灯システム。
【請求項３】
前記状態検出手段は車両のドアまたは窓の開閉状態を検出し、前記制御手段はドアまたは窓が開いているときに前記発音手段から防虫音を発音することを特徴とする請求項１または２に記載の車両の室内灯システム。
【請求項４】
前記状態検出手段は車室内に携帯端末機器が存在すること、および乗員が車両から降車した状態を検出し、前記制御手段は乗員が降車しかつ携帯端末機器が車室内に存在しているときに前記発音手段から所定の警告音を発音することを特徴とする請求項１または２に記載の車両の室内灯システム。
【請求項５】
前記状態検出手段は運転者が脇見状態であることを検出し、前記制御手段は脇見状態のときに運転者が前記発音手段から発音した警告音を強制的に聴かされるように当該発音手段を制御することを特徴とする請求項１または２に記載の車両の室内灯システム。
【発明の詳細な説明】
【技術分野】
【０００１】
本発明は自動車に適用して好適な室内灯に関し、特に室内を照明する機能に加えて乗員に対する利便性、安全性、快適性を改善するための付加機能を備えた車両の室内灯システムに関するものである。
【背景技術】
【０００２】
自動車の車室内に配設される室内灯は車室内を照明するために設けられているが、近年ではこの室内灯に照明以外の付加機能を備えさせたものが提案されている。特許文献１の室内灯では、紫外光を発光する紫外光源を備え、紫外光を車室内に向けて投射することにより座席やハンドルを除菌・消毒する技術が提案されている。
【先行技術文献】
【特許文献】
【０００３】
【特許文献１】特開２０１２−２５４６７３号公報
【発明の概要】
【発明が解決しようとする課題】
【０００４】
本発明者は、特許文献１の室内灯におけるような除菌・消毒の付加機能とは別の付加機能について検討を行った。すなわち、室内灯に装備されている発光機能とは別の機能を付加することにより、乗員に対する利便性、安全性、快適性を高めることの可能性について検討し、本発明を想到するに至った。
【０００５】
本発明の目的は、車両における乗員の快適性、利便性、安全性を改善するための付加機能を備えた室内灯システムを提供するものである。
【課題を解決するための手段】
【０００６】
本発明の室内灯システムは、車両の車室内に配設され、当該車室内に光を照射する発光手段および車室内に音波を発音する発音手段が配設された室内灯と、車両の状態を検出する状態検出手段と、状態検出手段で検出した車両の状態に基づいて少なくとも発音手段での発音を制御する制御手段を備えることを特徴とする。この制御手段は発音手段での発音を制御するときに、これと同時に発光手段での照射を制御する構成とすることが好ましい。
【０００７】
本発明の好ましい第１の形態は、状態検出手段は車両のドアまたは窓の開閉状態を検出し、制御手段はドアまたは窓が開いているときに発音ユニットから防虫音を発音する構成とする。
【０００８】
本発明の好ましい第２の形態は、状態検出手段は車室内に携帯端末機器が存在すること、および乗員が車両から降車した状態を検出し、制御手段は乗員が降車しかつ携帯端末機器が車室内に存在しているときに発音ユニットから所定の警告音を発音する構成とする。
【０００９】
本発明の好ましい第３の形態は、状態検出手段は運転者が脇見状態であることを検出し、制御手段は脇見状態のときに運転者が発音ユニットから発音した警告音を強制的に聴かされるように当該発音ユニットを制御する構成とする。
【発明の効果】
【００１０】
本発明によれば、状態検出手段において車両の状態を検出したときに、制御手段での制御によって室内灯の発音手段から所要の音波を発音することで、当該音波を利用して当該車両に乗車している乗員の快適性、利便性、安全性を改善するための付加機能が発揮され、室内灯の有効利用が図られる。
【００１１】
本発明の第１の形態では、発音手段からの発音により虫が車室内に侵入することが防止され、乗員の快適性が改善される。第２の形態では、発音手段からの発音により携帯端末機の車室内への置き忘れが防止され、利便性が改善される。第３の形態では、発音手段からの発音を利用することで運転者の姿勢を正すことができ、安全性が改善される。
【図面の簡単な説明】
【００１２】
【図１】本発明の室内灯システムを装備した自動車の概念構成図。
【図２】室内灯の外観図。
【図３】図２のａ−ａ線、ｂ−ｂ線に沿う断面図。
【図４】音波の投射方向を説明する模式図。
【図５】形態（１）の防虫の動作フロー図。
【図６】形態（２）の置き忘れ防止の動作フロー図。
【図７】形態（３）の正常姿勢確保の動作フロー図。
【図８】音波による正常姿勢確保を説明する模式図。
【発明を実施するための形態】
【００１３】
次に、本発明の実施の形態について図面を参照して説明する。図１は本発明の室内灯システムを装備した自動車の概念構成図である。室内灯１は自動車の車室内の天井に配設されている。この室内灯１は、図２に外観斜視図を示すように、ケーシング１１内に車室内に向けて光を照射するための発光ユニット２を備えるとともに、車室内に向けて音波を発音する発音ユニット３を備えている。発光ユニット２は運転席側と助手席側の２つの発光窓１４と点灯ボタン１５を有しており、点灯ボタン１５が操作されたとき、あるいは後述する制御部５での制御によって発光ユニット２での点灯が行われる。発音ユニット３は後述するように制御部５での制御により音波を発音する。
【００１４】
図３（ａ）は図２のａ−ａ線に沿う発光ユニット２の断面図であり、天井に固定されるベース１２と、このベース１２の下側領域を覆う装飾カバー１３とで前記ケーシング１１が構成されている。装飾カバー１３は一部の領域が透光部として形成されており、この透光部により前記発光窓１４が形成されている。前記ケーシング１１内には回路基板２０が内装支持されており、この回路基板２０に光源として複数のＬＥＤ（発光ダイオード）２１が搭載されている。これらのＬＥＤ２１は後述する制御部５によって選択的あるいは同時に発光され、発光されたときに前記発光窓１４を通して発光した光を車室内に向けて照射する。また、前記ＬＥＤ２１は異なる波長の光を発光するように構成されており、前記制御部５はＬＥＤ２１を選択して発光させることにより、少なくとも可視光とそれよりも長波長の近赤外光を発光して車室内を照射するように構成されている。なお、個々のＬＥＤ２１についての光照射領域については特に限定されることはないが、図３（ａ）に破線で模式的に示すように、発光ユニット２は室内灯として機能させるために車室内の全領域を照明することができるように構成されている。
【００１５】
前記発音ユニット３は、図３（ｂ）に図２のｂ−ｂ線に沿った断面図に示すように、前記ケーシング１１に内装支持されている支持基板３０に複数の発音器３１を搭載している。これらの発音器３１は前記制御部５での制御によって超音波から可聴音までの周波数領域の音波を発生し、ケーシング１１に設けた音孔１６を通して車室内に向けて投射する。前記発音器３１についての詳細な構造の説明は省略するが、電気信号を入力したときに振動する振動子と、この振動子の振動を増幅して空気振動させて音波を伝播させる振動体とを備えており、その振動板の振動方向を適宜に設定することで、所定の角度領域内に向けて音波を投射することが可能な指向性のある発音器として構成されている。例えば、いわゆる指向性スピーカと称されるものを用いている。
【００１６】
そして、前記各発音器３１はそれぞれ異なる方向に向けて音波を投射するように構成されている。これらの発音器３１は、図３（ｂ）に破線で模式的に示すように室内灯１の直下に向けて音波を投射する直下発音器３１ａと、車室内に存在している乗員に向けて音波を投射する乗員発音器３１ｂと、車室内の左右ドア領域に向けて音波を投射する左右発音器３１ｃを備えている。また、図３（ｂ）には図示されないが、車室内の後部領域に向けて音波を投射する後部発音器も備えている。前記乗員発音器３１ｂと左右発音器３１ｃは車幅方向に沿って左右対称に配設されている。
【００１７】
そして、前記発音ユニット３の各発音器３１を発音したときには、自動車の左右方向については、図４（ａ）に示すように、直下発音器３１ａからの音波は運転席ＭＳと助手席ＳＳの中間領域に投射され、乗員発音器３１ｂからの音波は運転席ＭＳと助手席ＳＳに向けて投射され、左右発音器３１ｃからの音波は左右のドアＤないし窓Ｗに向けて投射される。
【００１８】
また、自動車の前後方向については、図４（ｂ）のように、車室内の前席の近傍の天井に１つの室内灯１を備えた自動車では、直下発音器３１ａを除く乗員発音器３１ｂと左右発音器３１ｃについては、これらの発音器３１ｂ，３１ｃから投射される音波は車室内の前後方向のほぼ全領域にわたって投射される。また、図４（ｃ）のように、車室内の天井に前後方向に２つの室内灯１Ａ，１Ｂを配設した自動車の場合には、前側の室内灯１Ａでは運転席と助手席を含む車室内前側領域について前記した直下発音器３１ａ、乗員発音器３１ｂ、左右発音器３１ｃから音波を投射するように構成される。また、後側の室内灯１Ｂは直下発音器を備えてはおらず、後部座席を含む車室内後側領域について乗員発音器３１ｂ、左右発音器３１ｃさらに後部発音器から音波を投射するように構成される。なお、後部発音器は背面ドアに向けて音波を投射する構成としているが、図４（ｃ）のように、背面ドアＲＤに独立した室内灯１Ｃが設けられている場合には、この背面ドアＲＤの室内灯１Ｃに後部発音器を配設し、この後部発音器から背面ドアＲＤに向けて音波を出射するように構成してもよい。
【００１９】
その上で、図１に示したように、この室内灯システムは、前記発光ユニット２での発光と、前記発音ユニット３での発音をそれぞれ制御するための状態検出部４と制御部５を備えている。状態検出部４は、自動車のイグニッションスイッチ４１のオン・オフ状態と、自動車の左右および背面のドアと全ての窓の開閉状態を検出する。また、自動車の車速を検出する車速センサー４２が接続され、自動車の車速を検出する。さらに、運転席の近傍位置、ここでは運転席のダッシュボードに超音波を検出する超音波検出器４３が配設され、状態検出部４に接続されている。また、携帯電話機やタブレット端末等の携帯端末機Ｋを車両に電気接続する接続ユニット４４を備える自動車では、当該接続ユニット４４は状態検出部４に接続されており、接続ユニット４４に携帯端末機Ｋが接続されている状態を検出する。
【００２０】
前記制御部５は、状態検出部４での検出に基づいて前記発光ユニット２と発音ユニット３をそれぞれ制御する。この制御形態については次に説明する本発明の室内灯システムの動作説明により明らかにされる。すなわち、本発明の室内灯システムでは、（１）快適性としての防虫、（２）利便性としての端末置き忘れ防止、（３）安全性としての正常姿勢確保、の３つの形態での付加機能を発揮するものである。以下、これら（１）〜（３）について説明する。
【００２１】
（１）快適性としての防虫
図５は防虫の制御フローを示す図であり、状態検出部４は乗員の乗り降り等に際して生じるドアの開閉状態を検出し（Ｓ１１）、ドアが開いているときにはいずれのドアが開いているかを検出する（Ｓ１２）。また、窓の開閉状態を検出し（Ｓ１３）、窓が開いているときにはいずれの窓が開いているかを検出する（Ｓ１４）。この状態検出部４においてドアまたは窓が開いている状態を検出したことを受けて、制御部５は発音ユニット３の発音を制御し、各発音器３１において２０〜１００ｋＨＺ程度の音波、すなわち超音波を発生して車室内に投射する（Ｓ１５）。この波長域は、蚊や蛾等の虫の天敵である「こうもり」が発生する波長域であるが、人間に対しては非可聴音である。この超音波を車室内に投射することにより、開いたドアや窓から蚊や蛾等が車室内に侵入することが防止できる。
【００２２】
また、この形態（１）においては、図５に破線で示すように制御部５は開いているドアまたは窓を検出したときに、これらのドアや窓にそれぞれ対応する発音ユニット３の発音器３１を特定し（Ｓ１６）、発音ユニット３での発音に際しては（Ｓ１５）、特定した発音器３１の発音のみを制御するようにしてもよい。すなわち、室内灯１に配設されている複数の左右発音器３１ｃのうち開いているドアや窓に対応する左右発音器３１ｃを特定し、この特定した左右発音器３１ｃのみから超音波を車室内に投射する。これにより、当該超音波は開いたドアや窓の領域を遮蔽するように投射されることになり、これらのドアや窓からの虫の侵入が防止される。なお、図４（ｃ）に示した背面ドアが開いているときには室内灯１Ａ，１Ｂの後部発音器や背面ドアＲＤに設けた室内灯１Ｃの発音ユニットから超音波を投射させることで、背面ドアＲＤからの虫の進入が防止できる。
【００２３】
ここで、乗員の人数や着席状況に応じて発音ユニット３から投射される超音波の投射方向を調整するようにしてもよい。例えば、乗員発音器３１ｂは、直近の座席に乗員が着席しているときにのみ動作して当該対応する座席に向けて超音波を投射する。この場合には、仮に虫が車室内に侵入しても、超音波が投射されている領域には虫が寄りつかないので、少なくとも虫が乗員に近づくことは防止できる。このようにすれば、最小限の超音波の発生で防虫効果を得ることができ、省電力の点で有効である。
【００２４】
発音ユニット３からの超音波の投射は、原則として自動車の停車中において行われるが、走行中においても窓を開いて走行しているときに（ドアは閉じていることは勿論である）、虫が車室内に侵入することを防止するために発音ユニット３からの超音波の投射を行うようにしてもよい。なお、この超音波を出射する場合に、その周波数を適宜に変化させるようにすれば、例えば周期的に周波数を変化させるようにすれば虫の侵入防止効果が高められると考えられる。
【００２５】
また、ドアの開閉により室内灯１を点灯するように室内灯システムが構成されているときには、制御部５は発光ユニット２により５００ｎｍ以上の波長の赤色光を車室内に向けて照射する。この赤色光は乗員に対しては可視光であるので車室内の照明として有効であるが、蚊や蛾等の虫の視覚波長域は２４０〜４４０ｎｍであるので、当該照射光によって虫が車室内に侵入することはない。これは、ドアおよび窓が開いた状態のときに、乗員が点灯ボタン２２をオンして室内灯を点灯するときにも同様である。
【００２６】
一方、乗員の判断でドアや窓を開けても虫が侵入するおそれがないときには、別途設けたスイッチ操作によって防虫解除設定を行うようにしてもよい。その際には発音ユニット３からの超音波の発音は停止される。このとき発光ユニット２が発光されるときには、通常の可視光領域の光を車室内に照射するようにしてもよい。
【００２７】
（２）利便性としての端末置き忘れ防止
図６は置き忘れ防止の制御フローを示す図であり、状態検出部４において、イグニッションスイッチ４１がオフの状態、すなわちエンジンが停止されたことを検出すると（Ｓ２１）、続いて接続ユニット４４に携帯端末機Ｋが接続されているか否かを検出する（Ｓ２２）。携帯端末機Ｋが接続されていることを検出したとき、すなわち携帯端末機Ｋを接続ユニット４４に接続したまま乗員が自動車から離れる状態にある蓋然性の高い状態のときには、制御部５は室内灯１の発音ユニット３から音波を車室内に投射して発音を行うように制御する（Ｓ２３）。このときの音波は人間の可聴音である周波数領域の音波であるので乗員に対する警告音となる。この警告音は乗員が予め設定しておくことが可能である。例えば、対象となる携帯端末機Ｋに設定されている着信音を警告音として発音ユニット３の各発音器から車室内に発音するように設定する。これにより、携帯端末機Ｋを接続ユニット４４に装着したまま乗員が自動車から離れようとしたときに当該警告音が発音ユニット３から発音されるので、乗員はこれを聴くことにより車室内に携帯端末機Ｋを置き忘れたことを認識し、置き忘れが要因となる盗難や不正使用等の不利益を未然に防止することができる。なお、制御部４４は携帯端末機Ｋとの間で無線接続し、この無線接続状態に基づいて車室内への携帯端末Ｋの置き忘れを検出するようにしてもよい。
【００２８】
このとき制御部５は発音ユニット３からの発音と同時に発光ユニット２を発光させてもよく（Ｓ２４）、これにより乗員は視覚的にも注意が喚起されることになり、置き忘れに気がつき易くなる。この発光形態としては、例えば点滅が考えられる。また、これらの発音と発光は、制御部５において所定の時間だけ継続させるようにしてもよく、このとき時間の経過に伴って周波数を徐々に高くし、かつ点滅周期を短くするようにしてもよい。特に、発光の点滅周期を短くすることにより、乗員が自動車の車外に出て警告音が聴こえにくい状態となったときでも室内灯が点滅していることを車外から確認し易くなり、さらに置き忘れに気がつき易くなる。
【００２９】
（３）安全性としての正常姿勢確保
図７（ａ）は正常姿勢確保の制御フローを示す図である。自動車の走行中のときには、状態検出部４はイグニッションスイッチ４１がオンで、車速センサー４２の車速から自動車が走行していることを検出する（Ｓ３１）。これに基づいて、制御部５は運転席の直近の室内灯１の発音ユニット３から警告音を発音する（Ｓ３２）。すなわち、図８に示すように、室内灯１に配設した発音ユニット３から、運転席と助手席の中間領域に向けて音波を投射する。ここでは発音ユニット３の直下発音器３１ａ（図３参照）から警告音を発音する。この警告音は人間の可聴周波数の音波（音声）であり、特に人間が不快を感じるモスキート音（蚊が飛ぶときの音）を出射させている。
【００３０】
この状態において、図８に実線で示すように、自動車の走行中に運転者ＤＲが正常姿勢で運転をしているときには、運転者ＤＲの頭部は音波（警告音）の投射領域には存在していないため、発音ユニット３から投射される音波の指向性によって運転者が警告音を聴くことはない。運転中に運転者が運転には直接必要がない操作を行い、この操作によって運転者ＤＲの頭部が正常な運転位置よりも左右に移動される状態、いわゆる脇見運転状態となると、図８に鎖線で示すように、運転者ＤＲの頭部は発音ユニット３からの音波の投射領域に侵入することになり、警告音を強制的に聴かされる状態になる。そのため、運転者ＤＲはこの警告音によって自身が正しい運転姿勢でないことを認識するようになり、直ちに自身の姿勢を正常姿勢に修正するようになる。
【００３１】
この実施形態では、個々の運転者の正常姿勢の違いによって、正しい運転姿勢であっても頭部が音波の投射領域に侵入する状態が生じて警告音を聴かされる状態になることがある。また、運転者以外の乗員、特に助手席の乗員は車室内での操作が自由であるので警告音を聴かされる可能性が高くなる。他方、運転者が脇見運転状態になっても、運転者の頭部が音波の投射領域に侵入されない限り警告音を聴かされることがないので、警告の効果が期待できない場合が考えられる。
【００３２】
そこで、この実施形態の改善形態として、図７（ｂ）の制御フローのように、制御部５は走行中を検出したときに（Ｓ３１）、発音ユニット３の直下発音器からは警告音の代わりに可聴周波数ではない超音波を出力する（Ｓ３２ａ）。ここで、図１に示した超音波検出器４３は発音ユニット３から車室内に投射される超音波を検出するものであるが、この超音波検出器４３を配設した位置では、発音ユニット３から投射された超音波は直接には超音波検出器４３に到達されることがなく、したがって当該超音波を検出することはできない状態にある。
【００３３】
しかし、図８で示したと同様に、運転者ＤＲの姿勢が脇見運転状態になると、運転者ＤＲの体の一部や頭部が超音波の投射領域に入り込み、これら体の一部や頭部によって発音ユニット３から投射された超音波が乱反射され、超音波検出器４３にまで到達されるようになる。超音波検出器４３はこの乱反射された超音波を検出し（Ｓ３３）、この検出に基づいて制御部５は発音ユニット３の運転者に向けられている乗員発音器３１ｂ（図３参照）から不快な音、例えば前記したモスキート音からなる警告音を発音する（Ｓ３４）。これにより、運転者ＤＲは警告音を強制的に聴かされる状態となり、この警告音によって自身が正しい運転姿勢でないことを認識し、直ちに姿勢を修正するようになる。
【００３４】
このとき、警告音を運転者以外の他の乗員に向けて発音させるようにして、他の乗員にも運転者の脇見運転状態を認識させるようにしてもよい。この警告音の発音状態が所定時間継続しても姿勢が改善されないときには、警告音の音量を徐々に高めて運転者に対する注意喚起を高めるようにしてもよい。なお、運転者が超音波の投射領域から出て脇見運転状態が解消されれば、この乗員に向けての警告音の発音は停止される。
【００３５】
この改善した実施形態のように発音ユニット３から警告音を発音したときには、これと同時に室内灯１の発光ユニット２を発光させ、あるいは点滅することにより運転者に対する注意喚起をより確実なものにすることができる。この場合、発光ユニット２を点滅する時間が所定時間継続したときには、点滅周期を徐々に短くして注意喚起力を高めるようにしてもよい。
【００３６】
以上のように、本発明の室内灯システムは発音ユニット３から超音波や可聴音を発音することで乗員に対する快適性、利便性、安全性を改善しているが、前記した（１）〜（３）の個々の形態に限られるものではなく、これら（１）〜（３）の形態を適宜組み合わせる等、種々の形態での適用も可能である。すなわち、発音ユニット３から発音する音波は超音波と可聴波に限られるものではなく、他の波長領域の音波を発音するように構成してもよい。
【００３７】
また、本発明においては、実施形態でも説明したように、発音ユニット３による発音に加えて発光ユニット２から光を照射するようにしてもよい。この照射する光は可視光を含むことは勿論であるが、特許文献１のような紫外線を含む他の波長領域の光であってもよい。さらに、状態検出部は実施形態に記載の検出手段に限られるものではなく、本発明が実現しようとする乗員に対する快適性、利便性、安全性を高める目的に応じて適宜の検出手段を備え、かつ制御手段もこれらの目的に応じた任意の制御が実行できるように構成すればよい。
【産業上の利用可能性】
【００３８】
本発明は車両の室内灯に適用され、車室内を照明する機能以外の付加機能を備えた室内灯に適用することが可能である。
【符号の説明】
【００３９】
１，１Ａ〜１Ｃ  室内灯
２  発光ユニット
３  発音ユニット
４  状態検出部
５  制御部
１１  ケーシング
２０  回路基板
２３  ＬＥＤ
３０  支持基板
３１  発音器
３１ａ  直下発音器
３１ｂ  乗員発音器
３１ｃ  左右発音器
４１  イグニッションスイッチ
４２  車速センサー
４３  超音波検出器
４４  接続ユニット
ＭＳ  運転席
ＳＳ  助手席
Ｄ  ドア
Ｗ  窓
ＲＤ  背面ドア
ＤＲ  運転者
Ｋ  携帯端末機
【図１】
2015067062.tif 000003
【図２】
2015067062.tif 000004
【図３】
2015067062.tif 000005
【図４】
2015067062.tif 000006
【図５】
2015067062.tif 000007
【図６】
2015067062.tif 000008
【図７】
2015067062.tif 000009
【図８】
2015067062.tif 000010